(57)【特許請求の範囲】
【請求項１】
貯湯ユニットの出湯通路に配置され、貯湯ユニットから供給される湯水を再加熱して予め設定された設定温度で出湯する補助熱源機であって、加熱部と、入水側通路と、出湯側通路と、加熱部をバイパスして入水側通路と出湯側通路とを接続するバイパス通路と、このバイパス通路に流れる水量を調整するためのバイパス調整弁と、入水側通路に流れる湯水温度を検知する入水温度検知手段と、バイパス通路の合流部より上流側において出湯側通路に流れる湯水温度を検知する出湯温度検知手段とを備えた補助熱源機において、
前記バイパス調整弁を全開にした場合の、前記バイパス通路への流量と前記加熱部への流量の比率であるバイパス全開比と、前記入水温度検知手段で検知された入水温度と、前記出湯温度検知手段で検知された出湯温度とから予測出湯温度を算出し、前記設定温度と前記予測出湯温度との温度差に基づいて補助熱源機の加熱動作を開始／停止することを特徴とする補助熱源機。
【請求項２】
前記予測出湯温度の算出と、補助熱源機の加熱動作の開始／停止の制御を補助熱源機を制御する補助制御ユニットにおいて行うことを特徴とする請求項１に記載の補助熱源機。
【発明の詳細な説明】
【技術分野】
【０００１】
本発明は、補助熱源機に関し、特に貯湯ユニットから供給される湯水を再加熱して設定温度で出湯する補助熱源機に関するものである。
【背景技術】
【０００２】
従来から、高温の湯水を貯湯し、給湯栓等の所望の給湯先に供給可能な貯湯給湯装置が実用に供されている。この種の貯湯給湯装置は、高温の湯水を貯留する為の貯湯タンクと、湯水混合弁等の各種の弁類や各種の通路類と、貯湯タンクの湯水を加熱する為の主熱源機と、貯湯タンクに貯留されている湯水温度が低い場合等に再加熱する為の補助熱源機と、これら主熱源機や補助熱源機等を制御する為の制御ユニット等を備えている。
【０００３】
上記の補助熱源機として、加熱部と、入水側通路と、出湯側通路と、加熱部をバイパスするバイパス通路と、このバイパス通路に流れる水量を調整するためのバイパス調整弁と、加熱部への入水の入水温度検知手段と、加熱部からの出湯の出湯温度検知手段等を備えたバイパス式給湯器が採用されている場合がある（特許文献１）。
【０００４】
前記制御ユニットには、補助熱源機の入水温度と、補助熱源機の加熱部出口温度（缶体温度）とをパラメータとして、補助熱源機の燃焼を禁止する燃焼禁止領域と、燃焼禁止を解除する燃焼禁止解除領域とを予め設定したマップが格納されている。前記制御ユニットは、燃焼禁止条件が成立すると補助熱源機に燃焼禁止信号を出力して燃焼を停止させ、燃焼禁止解除条件が成立すると補助熱源機に燃焼禁止解除信号を出力して燃焼を開始させる。
【０００５】
貯湯ユニットから補助熱源機までの配管長の幅が広い（1.5 〜10ｍ）ため、湯待ち改善策として給湯アシストモードがあり、貯湯ユニットからの補助熱源機までの配管や補助熱源機が冷えている場合は、出湯と同時に貯湯ユニットから設定温度の湯水を出湯させつつ補助熱源機を燃焼させる。その後、制御ユニットは、補助熱源機の入水温度や缶体温度を監視し、燃焼禁止条件が成立すると、適宜のタイミングで補助熱源機の燃焼を停止させて、バックアップ出湯からタンク出湯に切換える。
【０００６】
この場合、補助熱源機が貯湯ユニットから離れた場所に設置されている場合等では、検出信号や制御信号の遅れ（タイムラグ）や補助熱源機における燃焼開始や停止の動作の遅れが生じるため、出湯温度を（設定温度±３℃）に抑えることが容易ではない。
【０００７】
補助熱源機の制御部は、制御ユニットからの燃焼禁止解除信号や燃焼禁止信号に基づいて燃焼開始や燃焼停止を実行するだけで、補助熱源機の制御部自身が燃焼開始や燃焼停止を判断するようなシステムには構成されていない。
但し、補助熱源機の制御部には、異常時の対策として、出湯温度が（設定温度＋８℃）以上になると予測した場合には、自律的に燃焼を停止する制御が組み込まれているが、この制御では前記の（設定温度＋３℃）を必ずオーバーしてしまう。
【０００８】
特許文献２に記載の給湯装置においては、給湯部（熱源機）の熱交換器へ給水する給水管と熱交換器から出湯する給湯管とを接続するバイパス管を設け、このバイパス管に流量制御手段を設け、この流量制御手段おける給水バイパス比（熱交換器への給水量とバイパス管へのバイパス水量との比）を決定するバイパス比決定手段を設け、給湯設定温度と給水温度とバイパス比とに基づいて熱交換器から出湯される予測出湯温度を算出し、この予測出湯温度が熱交換器でドレンが発生する温度より高くなるようにバイパス比を制御する技術が採用されている。
【先行技術文献】
【特許文献】
【０００９】
【特許文献１】特許第５０５８１９３号公報
【特許文献２】特許第３６２８８７１号公報
【発明の概要】
【発明が解決しようとする課題】
【００１０】
前記燃焼禁止領域と、燃焼禁止解除領域を設定するマップは、補助熱源機への入水温度と熱交換器出口の缶体温度をパラメータとして設定されているため、補助熱源機の機種毎にそのマップを設計するのに多大の労力を要するうえ、実際の運転中の制御においてもマップに基づいて演算処理を実行するため演算処理の負荷が高くなる。
【００１１】
従来の補助熱源機においては、基本的に制御ユニットからの指令に基づいて燃焼開始／停止を行うように構成されており、制御ユニットと補助熱源機の制御部の間では、２芯の通信線を介して制御信号を授受しているが、通信時に信号の遅延等が生じるため精度を高めることが難しく、補助熱源機の制御部自身が燃焼開始／停止を判断できることが望ましい。
【００１２】
特許文献１の給湯装置では、給湯設定温度と給水温度とバイパス比とに基づいて熱交換器から出湯される予測出湯温度を算出するものの、この予測出湯温度を熱源機の燃焼開始／停止の制御に活用するものではない。
【００１３】
本発明の目的は、バイパス比と入水温度と出湯温度とを用いて算出した予測出湯温度と、設定温度とに基づいて加熱動作を開始／停止するようにした補助熱源機を提供することである。
【課題を解決するための手段】
【００１４】
請求項１の補助熱源機は、貯湯ユニットの出湯通路に配置され、貯湯ユニットから供給される湯水を再加熱して予め設定された設定温度で出湯する補助熱源機であって、加熱部と、入水側通路と、出湯側通路と、加熱部をバイパスして入水側通路と出湯側通路とを接続するバイパス通路と、このバイパス通路に流れる水量を調整するためのバイパス調整弁と、入水側通路に流れる湯水温度を検知する入水温度検知手段と、バイパス通路の合流部より上流側において出湯側通路に流れる湯水温度を検知する出湯温度検知手段とを備えた補助熱源機において、前記バイパス調整弁を全開にした場合の、前記バイパス通路への流量と前記加熱部への流量の比率であるバイパス全開比と、前記入水温度検知手段で検知された入水温度と、前記出湯温度検知手段で検知された出湯温度とから予測出湯温度を算出し、前記設定温度と前記予測出湯温度との温度差に基づいて補助熱源機の加熱動作を開始／停止することを特徴としている。
【００１５】
請求項２の補助熱源機は、請求項１の発明において、前記予測出湯温度の算出と、補助熱源機の加熱動作の開始／停止の制御を補助熱源機を制御する補助制御ユニットにおいて行うことを特徴としている。
【発明の効果】
【００１６】
請求項１の発明によれば、バイパス調整弁を全開にした場合のバイパス全開比と、検知された入水温度と、検知された出湯温度とから予測出湯温度を算出し、予め設定された設定温度と算出した予測出湯温度との温度差に基づいて補助熱源機の加熱動作を開始／停止するように構成したため、特殊なマップ等を用いることなく、簡単な演算式でもって予測出湯温度を算出し、設定温度とその予測出湯温度との温度差に基づいて補助熱源機の加熱動作を開始／停止することができる。
【００１７】
そのため、複数機種の補助熱源機に前記演算式を共通に採用できるため、貯湯ユニットと補助熱源機を制御する制御ユニット又は補助熱源機を制御する制御部の設計と製作を簡単化できるうえ、実際の運転時にも前記演算式に基づいて予測出湯温度を簡単に演算できるから、制御時の演算負荷を低減可能であり、必要に応じて、補助熱源機の制御部において加熱動作の開始／停止を決定可能になる。
【００１８】
しかも、前記入水温度と出湯温度だけでなく、バイパス調整弁を全開にした場合のバイパス全開比も用いて予測出湯温度を算出するため、入水温度を大きく反映し且つ出湯温度を小さく反映する予測出湯温度であって、燃焼停止タイミングの付近において数秒後の入水温度を表すような予測出湯温度を算出でき、この予測出湯温度に基づいて加熱動作の停止のタイミングを適切に設定することができる。
【００１９】
請求項２の発明によれば、前記予測出湯温度の算出と、補助熱源機の加熱動作の開始／停止の制御を補助熱源機を制御する補助制御ユニットにおいて行うため、信号線の断線等が発生した場合に、補助熱源機側において自律的に加熱動作の開始／停止の制御を行うことができる。
【図面の簡単な説明】
【００２０】
【図１】本発明の実施例に係る貯湯給湯装置の概略構成図である。
【図２】貯湯給湯装置の補助熱源機の燃焼開始／燃焼停止を制御する燃焼開始停止制御のフローチャートである。
【図３】補助熱源機の燃焼開始から燃焼停止後所定期間の間における貯湯タンクからのタンク出湯温度、缶体出口温度（出湯温度）、入水温度、給湯温度、流量、バイパス全開予測出湯温度の変化を示した線図である。
【発明を実施するための形態】
【００２１】
以下、本発明を実施するための形態について実施例に基づいて説明する。
【実施例】
【００２２】
先ず、本発明の貯湯給湯装置１の全体構造について説明する。
図１に示すように、貯湯給湯装置１は、貯湯、給湯、本実施例では省略するが浴槽への給湯及び浴槽の追焚き、床暖房パネル等の温水暖房端末への暖房水の供給等の機能を有するものであり、貯湯タンク３を備えた貯湯ユニット２、貯湯タンク３内の湯水の加熱を行う外部の主熱源機４、貯湯タンク３からの湯水の温度が設定温度以下である場合に再加熱を行う補助熱源機５、貯湯ユニット２や主熱源機４及び補助熱源機５等を制御する為の制御ユニット９等を備えている。
【００２３】
この貯湯給湯装置１において、貯湯ユニット２と補助熱源機５とは、離隔して（例えば１．５ｍ〜１０ｍ程度離して）設置されている。貯湯ユニット２の貯湯タンク３と補助熱源機５は配管長の長い出湯通路７の外部出湯通路部７ｃを介して接続されている。尚、外部の主熱源機４としては、ヒートポンプ式熱源機や燃料電池発電装置が活用されるが、特にこれらに限定するものではなく、適宜変更可能である。
【００２４】
次に、貯湯ユニット２について説明する。
図１に示すように、貯湯ユニット２は、貯湯タンク３、給水通路６、出湯通路７、湯水循環回路８、混合弁１３等の各種の弁類、各種のセンサ類及び各種のポンプ類、主制御ユニット２０等を備え、これら大部分は外装ケース１１内に収納されて構成されている。
【００２５】
貯湯タンク３は、外部の主熱源機４で加熱された高温の湯水（例えば６５〜９０℃）を貯留可能な密閉タンクで構成され、貯留された湯水の放熱を防ぐ為にタンク周囲は断熱材で覆われている。貯湯タンク３の外周部に、下側から上側に向かって等間隔に複数の温度センサ１７ａ〜１７ｄが順に設けられ、これら複数の温度センサ１７ａ〜１７ｄにより貯湯タンク３内の複数の貯留層の湯水温度が検出される。
【００２６】
給水通路６は、上水源から低温の水を貯湯タンク３等に供給するものであり、上流給水通路部６ａ、下流給水通路部６ｂを有し、上流端が上水源に接続され、下流端が貯湯タンク３の下部に接続されている。上流給水通路部６ａと下流給水通路部６ｂとの間から出湯通路７に接続するバイパス通路１２が分岐されている。上流給水通路部６ａに、温度センサ１７ｅが設けられ、下流給水通路部６ｂに、逆止弁１９ａが設けられている。バイパス通路１２に、逆止弁１９ｂが設けられている。
【００２７】
出湯通路７は、貯湯タンク３に貯湯された湯水を補助熱源機５を介して給湯栓等の所望の給湯先に供給するものであり、上流出湯通路部７ａ、下流出湯通路部７ｂ、外部出湯通路部７ｃ、熱源出湯通路部７ｄを有し、上流端が貯湯タンク３の上部に接続され、下流端が給湯栓等に接続されている。上流出湯通路部７ａに、温度センサ１７ｆと流量センサ１８ａが設けられ、下流出湯通路部７ｂに、温度センサ１７ｇと流量センサ１８ｂが設けられている。
【００２８】
上流出湯通路部７ａと下流出湯通路部７ｂとの間に、混合弁１３が設けられ、この混合弁１３に給水通路６から分岐したバイパス通路１２が接続されている。混合弁１３は、出湯温度が目標給湯設定温度になるように上水源からの低温の水と貯湯タンク３からの高温の湯水の混合比を調整するものである。バイパス通路１２から分岐した分岐通路１４が、下流出湯通路部７ｂに接続され、分岐通路１４に、高温出湯回避用の開閉弁１５が設けられている。
【００２９】
外部出湯通路部７ｃと熱源出湯通路部７ｄとの間に、補助熱源機５が設けられている。尚、外部出湯通路部７ｃの配管長は、貯湯タンクユニット２と補助熱源機５とが離隔状に設置されている構造上、例えば１．５ｍ〜１０ｍ程度と外装ケース１１内に設置された上流出湯通路部７ａや下流出湯通路部７ｂと比較して長く設定されている。
【００３０】
湯水循環回路８は、貯湯タンク３と外部の主熱源機４との間に湯水を循環させて湯水を加熱する閉回路であり、低温側循環通路部８ａ、高温側循環通路部８ｂ等を有し、上流端が貯湯タンク３の下部に接続され、下流端が貯湯タンク３の上部に接続されている。低温側循環通路部８ａと高温側循環通路部８ｂとの間に、外部の主熱源機４が設けられている。低温側循環通路部８ａには、循環ポンプ１６が設けられている。
【００３１】
次に、補助熱源機５について説明する。
図１に示すように、補助熱源機５は、貯湯タンク３から延びる出湯通路７の途中部に設けられた公知のガス給湯器（バイパス式給湯器）で構成されている。補助熱源機５は、貯湯タンク３に高温の湯水が十分にある場合には燃焼禁止状態に設定されているが、混合弁１３の出湯温度又は補助熱源機５の入水温度が低下した場合に限り燃焼禁止状態が解除されて燃焼作動され、目標給湯設定温度となるように貯湯ユニット２から流入する湯水を加熱するものである。
【００３２】
即ち、補助熱源機５は、燃焼用空気を供給する為の送風ファン（図示略）、燃料ガスを燃焼させるバーナーユニット５ａ、貯湯タンクユニット２から湯水が流入する入水通路部２１、この入水通路部２１から流入した湯水を燃焼ガスによって加熱する熱交換器２２、この熱交換器２２で加熱された後の湯水の出湯を行う出湯通路部２３、熱交換器２２をバイパスするバイパス通路２４、このバイパス通路２４を流れる湯水の流量を調整するバイパス流量調整弁２５、補助熱源機５を制御する補助制御ユニット２６及び各種のセンサ類等を備え、これら大部分は外装ケース２７内に収納されて構成されている。
【００３３】
熱交換器２２は、湯水の流れ方向の下流側に設けられ且つ燃焼ガスの主として顕熱を回収する顕熱回収用熱交換器２２ａ、湯水の流れ方向の上流側に設けられ且つ顕熱回収後の燃焼排気ガスの主として潜熱を回収する潜熱回収用熱交換器２２ｂ、この潜熱回収用熱交換器２２ｂで発生したドレン水を回収するドレン水回収部（図示略）等を備えている。
【００３４】
入水通路部２１の上流端は、貯湯タンクユニット２から延びる外部出湯通路部７ｃの下流端に接続され、入水通路部２１の下流端は、潜熱回収用熱交換器２２ｂに接続されている。入水通路部２１には、温度センサ２８ａと流量センサ２９が設けられている。入水通路部２１の温度センサ２８ａと流量センサ２９の上流側から分岐されたバイパス通路２４が出湯通路部２３に接続され、この分岐部にバイパス流量調整弁２５が設けられている。
【００３５】
出湯通路部２３の上流端は、顕熱回収用熱交換器２２ａに接続され、出湯通路部２３の下流端は、熱源出湯通路部７ｄの上流端に接続されている。出湯通路部２３のバイパス通路２４が接続される接続部の上流側には、温度センサ２８ｂが設けられ、出湯通路部２３の接続部の下流側には、温度センサ２８ｃが設けられている。
【００３６】
バイパス流量調整弁２５において、タンク出湯中は、パイパス通路２４の流量が最大となるように弁ポジションがバイパス通路２４側全開に調整され、バックアップ出湯中は、熱交換器２２で加熱された高温の湯水とバイパス通路２４を流れる低温の湯水とを混合調整して給湯設定温度の湯水が補助熱源機５から出湯されるように弁ポジションが適宜調整される。
【００３７】
次に、制御ユニット９について説明する。
この貯湯給湯装置１は、主制御ユニット２０と補助制御ユニット２６からなる制御ユニット９によって制御される。貯湯ユニット２側において、各種のセンサの検出信号が主制御ユニット２０に送信され、補助熱源機５側において、各種のセンサ類の検出信号が補助制御ユニット２６に送信され、これら主制御ユニット２０と補助制御ユニット２６によって、貯湯ユニット２の動作、主熱源機４の動作、補助熱源機５の動作、各種のポンプ類の作動・停止、各種の弁類の開閉状態の切り換え及び開度調整等を制御し、各種運転（貯湯運転、出湯運転等）を実行する。
【００３８】
主制御ユニット２０は、補助熱源機５の補助制御ユニット２６とデータ通信可能であり、また、主制御ユニット２０は、ユーザーが操作可能な操作リモコン（図示略）とデータ通信可能である。操作リモコンのスイッチ操作により各種の運転が設定されると、その指令信号が操作リモコンから主制御ユニット２０に送信される。例えば、操作リモコンのスイッチ操作により目標給湯設定温度が設定されると、その目標給湯設定温度データが操作リモコンから主制御ユニット２０に送信される。
【００３９】
主制御ユニット２０は、貯湯タンク３の湯水の貯留状況に応じて又は貯湯タンク３からの湯水の出湯温度（混合弁１３の出湯温度又は補助熱源機５の入水温度）に応じて、補助熱源機５の燃焼及び燃焼禁止の制御を実行し、燃焼を許可する場合は燃焼禁止フラグを「０」にリセットし、また燃焼禁止の場合は燃焼禁止フラグを「１」とし、データ通信を介して補助制御ユニット２６へ補助熱源機５の燃焼可否を指令する。
【００４０】
次に、補助熱源機５の燃焼開始／燃焼停止を制御する燃焼開始停止制御について図２のフローチャートに基づいて説明する。本実施例の場合、この燃焼開始停止制御は補助熱源機５の補助制御ユニット２６により実行される。
この制御が開始されると、Ｓ１においてバックアップ出湯のため補助熱源機５の燃焼が必要となる所定条件成立か否か判定される。出湯栓や浴槽等へ出湯中（流量センサ２９が流量を検出中）であれば、前記の所定条件成立と判定される。
【００４１】
次に、Ｓ２において、温度センサ２８ａ，２８ｂの検出信号を読み込んで、補助熱源機５へ供給される入水の入水温度Ｔｉと、補助熱源機５の出湯温度Ｔｏ（熱交換器２２の出口温度、缶体温度）が検出される。次に、Ｓ３において、バイパス流量調整弁２５を全開にした場合のバイパス全開予測出湯温度Ｔａが次式により演算される。
【００４２】
Ｔａ＝（Ｔｉ×バイパス全開比＋Ｔｏ×１）／（バイパス全開比＋１）・・・（１）
このバイパス全開予測出湯温度Ｔａは、バイパス流量調整弁２５を全開にしたと仮定して、バイパス通路２４への流量と熱交換器２２側への流量の比率を全開（例えば２：１）にした場合における、バイパス通路２４と出湯通路部２３との合流部よりも下流側の給湯温度Ｔｕ（温度センサ２８ｃの所の温度）を示すものである。
【００４３】
次に、Ｓ４において、前記予測出湯温度Ｔａ≦（給湯設定温度Ｔｓ−４℃）か否か判定され、入水温度Ｔｉ及び出湯温度Ｔｏが低いためＳ４の判定がＹｅｓになった場合は、Ｓ５において、補助熱源機５の加熱動作（燃焼）を開始させ、また燃焼中の場合は燃焼を継続させる。その後Ｓ６へ移行する。Ｓ４の判定がＮｏの場合もＳ６へ移行する。
【００４４】
Ｓ６では、前記予測出湯温度Ｔａ≧（給湯設定温度Ｔｓ−２℃）か否か判定され、その判定がＹｅｓの場合は、Ｓ７において補助熱源機の加熱動作（燃焼）を停止させ、Ｓ７からＳ１へリターンし、Ｓ６の判定がＮｏの場合にもＳ１へリターンし、その後Ｓ１以降が繰り返し実行される。
【００４５】
ここで、図３には、貯湯タンク３の出湯温度Ｔｋ、流量、補助熱源機への入水温度Ｔｉ、熱交換器の出口温度Ｔｏ（缶体温度）、補助熱源機５の出口の給湯温度Ｔｕ（給湯先への給湯温度）、流量調整弁２５の弁ポジション、バイパス全開予測出湯温度Ｔａ、燃焼禁止フラグが図示されている。
【００４６】
時刻ｔ１において、出湯が開始されて流量が発生すると、燃焼禁止フラグが「０」にリセットされ、前記の燃焼開始停止制御が開始される。このとき、入水温度Ｔｉも缶体温度Ｔｏも十分に低く、予測出湯温度Ｔａも十分に低い値になるため、前記フローチャートのＳ４の判定がＹｅｓとなり、時刻ｔ２において補助熱源機５の燃焼が開始される。
【００４７】
その後、缶体温度Ｔｏと給湯温度Ｔｕは急速に上昇し、貯湯タンク３からの出湯温度Ｔｋも上昇し、予測出湯温度Ｔａが徐々に上昇し、この予測出湯温度Ｔａに追従するかのようにこれに遅れて入水温度Ｔｉが徐々に上昇していく。一方、流量調整弁２５の弁ポジションは、バイパス通路２４への流量を増す方向へ切換えられていく。その後、時刻ｔ３において燃焼禁止フラグがセットされ、時刻ｔ４において、前記フローチャートのＳ６の判定がＹｅｓとなるため、補助熱源機５の燃焼が停止される。
【００４８】
燃焼停止後やや遅れて缶体温度Ｔｏは急低下し、予測出湯温度Ｔａと入水温度Ｔｉが緩やかに上昇し、給湯温度Ｔｕは給湯設定温度Ｔｓに近い温度を維持し、燃焼停止（時刻ｔ４）から約１０秒後には、缶体温度Ｔｏと予測出湯温度Ｔａと入水温度Ｔｉと給湯温度Ｔｕが給湯設定温度Ｔｓに略等しい温度の１点に収束する。これは、燃焼停止のタイミングが極めて適切なタイミングであったことを示している。
【００４９】
ここで、燃焼停止する時刻ｔ４の付近において、予測出湯温度Ｔａと入水温度Ｔｉは同様の上昇特性で変化しており、予測出湯温度Ｔａに対して入水温度Ｔｉが約５秒程度遅れた特性になっている。つまり、予測出湯温度Ｔａから約５秒後の入水温度Ｔｉを推定可能であり、この予測出湯温度Ｔａ≧（給湯設定温度Ｔｓ−２℃）という条件で、バックアップ給湯のための補助熱源機５の燃焼を停止させることで、過不足のない加熱により給湯温度Ｔｕを給湯設定温度Ｔｓにほぼ一致させることができる。
【００５０】
次に、本発明の貯湯給湯装置１の作用、効果について説明する。
通常のタンク出湯中、貯湯タンク３にかかる給水圧によって貯湯タンク３の上部から高温の湯水が上流出湯通路部７ａに押し出され、この高温の湯水は混合弁１３においてバイパス通路１２から供給される低温の水と混合されて給湯設定温度Ｔｓに調整され、この給湯設定温度Ｔｓの湯水の大部分は、燃焼禁止状態の補助熱源機５のバイパス通路２４を経由して給湯栓から出湯される。但し、一部の湯水は熱交換器２２を経由して給湯栓から出湯される。
【００５１】
貯湯ユニット２から給湯設定温度Ｔｓよりも低温の湯水が出湯される場合には、前記のような燃焼開始停止制御により補助熱源機５の燃焼が開始されて、外部出湯通路部７ｃから補助熱源機５へ供給される湯水の一部は熱交換器２２で加熱され、バイパス通路２４を通過した湯水の残部と熱交換器２２で加熱された湯水とが熱源出湯通路部７ｄにおいて混合されて給湯設定温度Ｔｓにして出湯される。
【００５２】
前記燃焼開始停止制御においては、前記フローチャートのＳ３に示す演算式（１）によりバイパス全開予測出湯温度Ｔａを演算し、この予測出湯温度Ｔａが（給湯設定温度Ｔｓ−４℃）以下の場合は、補助熱源機５の燃焼を開始させ、予測出湯温度Ｔａが（給湯設定温度Ｔｓ−２℃）以上の場合は補助熱源機５の燃焼を停止させる。この予測出湯温度Ｔａを用いることで燃焼停止のタイミングを適切に設定することができる。
【００５３】
前記の演算式（１）は、バイパス全開比の他に、検出した入水温度Ｔｉと検出した出湯温度Ｔｏを用いて演算できるため、制御上の演算処理負荷も小さく、補助制御ユニット２６の設計も簡単になる。
【００５４】
しかも、補助熱源機５を制御する補助制御ユニット２６において燃焼開始停止制御を行うように構成したため、主制御ユニット２０と補助制御ユニット２６間の通信線の断線等の際にも補助制御ユニット２６により燃焼開始／停止を実行できるから、フェールセーフを図ることができる。
【００５５】
次に、前記実施例を部分的に変更した形態について説明する。
［１］前記フローチャートにおける（給湯設定温度Ｔｓ−４℃）の「−４℃」は一例であり、（給湯設定温度Ｔｓ−２℃）の「−２℃」も一例であり、これらの数値に限るものではなく、機種別に異なる数値を採用する場合もある。
【００５６】
［２］その他、当業者であれば、本発明の趣旨を逸脱することなく、前記実施例に種々の変更を付加した形態で実施可能であり、本発明はそのような変更形態を包含するものである。
【符号の説明】
【００５７】
１      貯湯給湯装置
２      貯湯ユニット
３      貯湯タンク
５      補助熱源機
５ａ    バーナーユニット
７      出湯通路
９      制御ユニット（制御手段）
２１    入水通路部（入水側通路）
２２    熱交換器
２３    出湯通路部（出湯側通路）
２４    バイパス通路
２５    バイパス流量調整弁（バイパス調整弁）
２６    補助制御ユニット
２８ａ  温度センサ（入水温度検知手段）
２８ｂ  温度センサ（出湯温度検知手段）
【図１】
0006607375.tif 000002
【図２】
0006607375.tif 000003
【図３】
0006607375.tif 000004